(57)【要約】【課題】送信元のノードからのパケット又は宛先のノードへのパケットが存在しなくても、本来あるべきノードが表示でき、かつそのノードを送信元又は宛先とするパケットが存在しないことを可視化することができるＩＰネットワークの故障箇所の可視化装置、ＩＰネットワークの故障箇所の可視化方法及び記録媒体を提供すること、及び、ネットワーク構成図上の各経路の各プロトコルの情報を可視化することができるＩＰネットワークの故障箇所の可視化装置、ＩＰネットワークの故障箇所の可視化方法及び記録媒体を提供することを目的とする。【解決手段】本発明に係るＩＰネットワークの故障箇所の可視化装置は、典型的なネットワーク構成をテンプレートとして、初期画面で表示しておき、取得したパケットで生成するネットワーク構成図とその接続状況を、当該テンプレートと重ね合わせることとした。【選択図】図１
2010074688.tif 000002
【特許請求の範囲】
【請求項１】
監視対象のネットワークを流れるパケットを取得するパケット取得部と、
前記ネットワークの構成を示したテンプレートを記憶するテンプレート記憶部と、
前記パケット取得部が取得した前記パケットに含まれる情報に基づき、パケットが疎通している経路の疎通ネットワークを推定し、前記疎通ネットワークと前記テンプレート記憶部が記憶する前記テンプレートとを比較し、前記ネットワークの各経路についてパケットの疎通の有無を判断するネットワーク状態演算部と、
前記テンプレート記憶部が記憶する前記テンプレートに、前記ネットワーク状態演算部が判断したパケットの疎通の有無を前記ネットワークの経路毎に表示して出力する出力部と、
を備えるＩＰネットワークの故障箇所の可視化装置。
【請求項２】
前記テンプレート記憶部は、前記テンプレートに前記ネットワークの各経路にアプリケーション毎に必要なプロトコル情報を含めて記憶し、
前記ネットワーク状態演算部は、パケットの疎通の有無をプロトコル毎に判断し、
前記出力部は、パケットの疎通の有無をプロトコル毎に表示すること
を特徴とする請求項１に記載のＩＰネットワークの故障箇所の可視化装置。
【請求項３】
監視対象のネットワークを流れるパケットを取得するパケット取得手順と、
前記ネットワークの構成を示したテンプレートを記憶するテンプレート記憶手順と、
前記パケット取得手順で取得した前記パケットに含まれる情報に基づき、パケットが疎通している経路の疎通ネットワークを推定し、前記疎通ネットワークと前記テンプレート記憶手順が記憶する前記テンプレートとを比較し、前記ネットワークの各経路についてパケットの疎通の有無を判断するネットワーク状態演算手順と、
前記テンプレート記憶手順で記憶した前記テンプレートに、前記ネットワーク状態演算手順で判断したパケットの疎通の有無を前記ネットワークの経路毎に表示して出力する出力手順と、
で、ＩＰネットワークの故障箇所を可視化するＩＰネットワークの故障箇所の可視化方法。
【請求項４】
前記テンプレート記憶手順では、前記テンプレートに前記ネットワークの各経路にアプリケーション毎に必要なプロトコル情報を含めて記憶し、
前記ネットワーク状態演算手順では、パケットの疎通の有無をプロトコル毎に判断し、
前記出力手順では、パケットの疎通の有無をプロトコル毎に表示すること
を特徴とする請求項３に記載のＩＰネットワークの故障箇所の可視化方法。
【請求項５】
請求項３又は４に記載のＩＰネットワークの故障箇所の可視化方法をコンピュータに実行させるためのプログラムを記録したコンピュータ読み取り可能な記録媒体。
【発明の詳細な説明】
【技術分野】
【０００１】
本発明は、ＩＰネットワーク上を流れるパケットからネットワークの故障箇所を可視化するＩＰネットワークの故障箇所の可視化装置、ＩＰネットワークの故障箇所の可視化方法及び当該方法をコンピュータに実行させるためのプログラムを記録した記録媒体に関する。
【背景技術】
【０００２】
ＩＰネットワーク上を流れるパケットを取得して、ネットワーク構成図およびその構成図上を流れるトラフィックを、全体を鳥瞰しつつ、部分的に詳細に見やすくするために３Ｄ化した可視化方法（例えば、非特許文献１を参照。）や、端末数が多い場合でも分かりやすく表現するためにハイパーポリックツリーを用いる手法（例えば、非特許文献２を参照。）が提案されている。なお、本明細書において、ノードとは、一つの端末を示す場合と、複数の端末をまとめたものの両方を指すものとする。
【非特許文献１】Ｂｕｒｎｓ，  Ｃ．Ｍ．，  Ｋｕｏ，  Ｊ．ａｎｄ  Ｎｇ，  Ｓ．（２００３）  “Ｅｃｏｌｏｇｉｃａｌ  ｉｎｔｅｒｆａｃｅ  ｄｅｓｉｇｎ：  ａ  ｎｅｗ  ａｐｐｒｏａｃｈ  ｆｏｒ  ｖｉｓｕａｌｉｚｉｎｇ  ｎｅｔｗｏｒｋ  ｍａｎａｇｅｍｅｎｔ”，  Ｃｏｍｐｕｔｅｒ  ｎｅｔｗｏｒｋｓ，  ｖｏ１．４３，ｐｐ．  ３６９−３８８．
【非特許文献２】Ｄｕｅｚ，  Ｐ．  Ｐ．  ａｎｄ  Ｖｉｃｅｎｔｅ，  Ｋ．  Ｊ．  （２００３）“Ｅｃｏｌｏｇｉｃａｌ  ｉｎｔｅｒｆａｃｅ  ｄｅｓｉｇｎ  ｆｏｒ  ｎｅｔｗｏｒｋ  ｍａｎａｇｅｍｅｎｔ”，  Ｐｒｏｃｅｅｄｉｎｇｓ  ｏｆ  ｔｈｅ  Ｈｕｍａｎ  Ｆａｃｔｏｒｓ  ａｎｄ  Ｅｒｇｏｎｏｍｉｃｓ  Ｓｏｃｉｅｔｙ  ４７ｔｈ  Ａｎｎｕａｌ  Ｍｅｅｔｉｎｇ，  ｐｐ．  ５７２−５７５．
【発明の開示】
【発明が解決しようとする課題】
【０００３】
いずれの方法も、パケットを入力として、その情報からネットワーク構成図を生成するため、配線ミス等で、パケットが流れないような故障個所を可視化することができず、本来出現するはずのノードが出現しないことで、配線ミス等の故障を推定しなければならないという課題があった。
【０００４】
また、ネットワーク構成図上の各経路の各プロトコルの情報に関しても、疎通のあったプロトコルの情報を可視化したとしても、どの経路にどのようなプロトコルのパケットの疎通があれば正常なのかが不明であるという課題もある。
【０００５】
そこで、本発明は、上記課題を解決するためになされたもので、送信元のノードからのパケット又は宛先のノードへのパケットが存在しなくても、本来あるべきノードが表示でき、かつそのノードを送信元又は宛先とするパケットが存在しないことを可視化することができるＩＰネットワークの故障箇所の可視化装置、ＩＰネットワークの故障箇所の可視化方法及び記録媒体を提供することを第一の目的とする。
【０００６】
また、本発明は、ネットワーク構成図上の各経路の各プロトコルの情報を可視化することができるＩＰネットワークの故障箇所の可視化装置、ＩＰネットワークの故障箇所の可視化方法及び記録媒体を提供することを第二の目的とする。
【課題を解決するための手段】
【０００７】
前記第一の目的を達成するために、本発明に係るＩＰネットワークの故障箇所の可視化装置は、典型的なネットワーク構成をテンプレートとして、初期画面で表示しておき、取得したパケットで生成するネットワーク構成図とその接続状況を、当該テンプレートと重ね合わせることとした。
【０００８】
具体的には、本発明に係るＩＰネットワークの故障箇所の可視化装置は、監視対象のネットワークを流れるパケットを取得するパケット取得部と、前記ネットワークの構成を示したテンプレートを記憶するテンプレート記憶部と、前記パケット取得部が取得した前記パケットに含まれる情報に基づき、パケットが疎通している経路の疎通ネットワークを推定し、前記疎通ネットワークと前記テンプレート記憶部が記憶する前記テンプレートとを比較し、前記ネットワークの各経路についてパケットの疎通の有無を判断するネットワーク状態演算部と、前記テンプレート記憶部が記憶する前記テンプレートに、前記ネットワーク状態演算部が判断したパケットの疎通の有無を前記ネットワークの経路毎に表示して出力する出力部と、を備える。
【０００９】
前記ＩＰネットワークの故障箇所の可視化装置のＩＰネットワークの故障箇所の可視化方法は、監視対象のネットワークを流れるパケットを取得するパケット取得手順と、前記ネットワークの構成を示したテンプレートを記憶するテンプレート記憶手順と、前記パケット取得手順で取得した前記パケットに含まれる情報に基づき、パケットが疎通している経路の疎通ネットワークを推定し、前記疎通ネットワークと前記テンプレート記憶手順が記憶する前記テンプレートとを比較し、前記ネットワークの各経路についてパケットの疎通の有無を判断するネットワーク状態演算手順と、前記テンプレート記憶手順で記憶した前記テンプレートに、前記ネットワーク状態演算手順で判断したパケットの疎通の有無を前記ネットワークの経路毎に表示して出力する出力手順と、で、ＩＰネットワークの故障箇所を可視化する。
【００１０】
領域を限定すると、ネットワーク構成図のパターンは限定される。例えば、任意の企業が提供する家庭のインターネット接続環境ではネットワーク構成は決まってくる。この典型的なネットワーク構成をテンプレートとして初期画面で表示しておき、取得したパケットで生成するネットワーク構成図とその接続状況を、当該テンプレートと重ね合わせることで、パケットの疎通がないノードを検出できる。
【００１１】
従って、本発明は、送信元のノードからのパケット又は宛先のノードへのパケットが存在しなくても、本来あるべきノードが表示でき、かつそのノードを送信元又は宛先とするパケットが存在しないことを可視化することができるＩＰネットワークの故障箇所の可視化装置及びＩＰネットワークの故障箇所の可視化方法を提供することができる。
【００１２】
前記第二の目的を達成するために、本発明に係るＩＰネットワークの故障箇所の可視化装置は、任意のタイプのアプリケーションが機能する上で必要な経路、およびその経路において疎通があるべきプロトコルのデータベースを作成しておくこととした。
【００１３】
具体的には、本発明に係るＩＰネットワークの故障箇所の可視化装置の前記テンプレート記憶部は、前記テンプレートに前記ネットワークの各経路にアプリケーション毎に必要なプロトコル情報を含めて記憶し、前記ネットワーク状態演算部は、パケットの疎通の有無をプロトコル毎に判断し、前記出力部は、パケットの疎通の有無をプロトコル毎に表示することが好ましい。
【００１４】
前記ＩＰネットワークの故障箇所の可視化装置のＩＰネットワークの故障箇所の可視化方法の前記テンプレート記憶手順では、前記テンプレートに前記ネットワークの各経路にアプリケーション毎に必要なプロトコル情報を含めて記憶し、前記ネットワーク状態演算手順では、パケットの疎通の有無をプロトコル毎に判断し、前記出力手順では、パケットの疎通の有無をプロトコル毎に表示することが好ましい。
【００１５】
任意のアプリケーションのトラブルシューティングを行う上では、アプリケーションの種別を限定すると、どの経路にどのプロトコルの疎通があればいいかは限定される。このため、任意のタイプのアプリケーションが機能する上で必要な経路、およびその経路において疎通があるべきプロトコルのデータベースを作成しておくことで、画面上からアプリケーションの種別が選択されたら、経路と当該経路に対応するプロトコルとして初期画面に表示でき、取得したテストパケットでネットワーク構成図の経路およびその経路を疎通するプロトコルを重ね合わせて表示することができる。
【００１６】
従って、本発明は、ネットワーク構成図上の各経路の各プロトコルの情報を可視化することができるＩＰネットワークの故障箇所の可視化装置及びＩＰネットワークの故障箇所の可視化方法を提供することができる。
【００１７】
また、本発明に係る記録媒体は、前記ＩＰネットワークの故障箇所の可視化方法をコンピュータに実行させるためのプログラムを記録したコンピュータ読み取り可能な記録媒体である。前記ＩＰネットワークの故障箇所の可視化方法をコンピュータに実行させることができる。
【発明の効果】
【００１８】
本発明は、送信元のノードからのパケット又は宛先のノードへのパケットが存在しなくても、本来あるべきノードが表示でき、かつそのノードを送信元又は宛先とするパケットが存在しないことを可視化することができるＩＰネットワークの故障箇所の可視化装置、ＩＰネットワークの故障箇所の可視化方法及び記録媒体を提供することができる。ユーザは、配線ミスや、断線等の理由により、トラフィックが存在しないことを可視化することが可能となり、トラブル解決が容易になる。
【００１９】
さらに、本発明は、ネットワーク構成図上の各経路の各プロトコルの情報を可視化することができるＩＰネットワークの故障箇所の可視化装置、ＩＰネットワークの故障箇所の可視化方法及び記録媒体を提供することができる。ネットワーク構成図上の各経路の各プロトコルの情報を可視化されると、プロトコル毎に正常な疎通のテンプレートとの差分かクリアになるため、どの部分がどのような異常であるかを判別しやすくなる。
【発明を実施するための最良の形態】
【００２０】
添付の図面を参照して本発明の実施の形態を説明する。以下に説明する実施の形態は本発明の構成の例であり、本発明は、以下の実施の形態に制限されるものではない。なお、本明細書及び図面において符号が同じ構成要素は、相互に同一のものを示すものとする。
【００２１】
（第１の実施形態）
図１は、本実施形態のＩＰネットワークの故障箇所の可視化装置３０１の構成を説明するブロック図である。
【００２２】
本実施形態のＩＰネットワークの故障箇所の可視化装置３０１は、監視対象のネットワーク１０１を流れるパケットを取得するパケット取得部１１と、ネットワーク１０１の構成を示したテンプレートを記憶するテンプレート記憶部１２と、パケット取得部１１が取得したパケットに含まれる情報に基づき、パケットが疎通している経路の疎通ネットワークを推定し、疎通ネットワークとテンプレート記憶部１２が記憶するテンプレートとを比較し、ネットワーク１０１の各経路についてパケットの疎通の有無を判断するネットワーク状態演算部１３と、テンプレート記憶部１２が記憶するテンプレートに、ネットワーク状態演算部１３が判断したパケットの疎通の有無をネットワーク１０１の経路毎に表示して出力する出力部１４と、を備える。
【００２３】
図２のような家庭でインターネット１００を利用する場合のネットワーク構成のテンプレートを初期画面として表示する例を考える。ここでは、監視対象のネットワーク１０１とは、インターネット１００とルータ２０１との間、及びルータ２０１とパーソナルコンピュータ２０３との間である。
【００２４】
テンプレート記憶部１２は、ネットワーク１０１の構成を示したテンプレートを記憶するテンプレート記憶手順を行う。テンプレート記憶部１２は、図２のネットワーク構成のテンプレートを記憶している。ネットワーク構成は、ノードとノードを結ぶ経路により構成される。図２では、ノードはインターネット１００、ルータ２０１及びパーソナルコンピュータ２０３である。
【００２５】
パケット取得部１１は、監視対象のネットワーク１０１を流れるパケットを取得するパケット取得手順を行う。パケット取得部１１は、監視対象のネットワーク１０１上を流れるパケットを取得する。パケット取得部１１としては、図３のようにポートミラーリング機能が付いているスイッチングハブ２０２を監視対象ネットワーク１０１に接続し、スイッチングハブ２０２の監視対象ポート上を流れるパケットを監視用端末が接続されたポートに複製する手段がある。オンサイトでの保守は、図３のようにスイッチングハブ２０２を監視対象ネットワーク１０１に接続してパケット取得部１１とすることが好ましい。
【００２６】
また、他のパケット取得部１１としては、図４のようにネットワークを構成する端末であるルータ２０１にポートミラーリング機能を内蔵しておき、ルータ２０１を通過するパケットをＩＰネットワークの故障箇所の可視化装置３０１にネットワーク経由で転送する手段も考えられる。遠隔での保守は、図４のようにルータ２０１からパケットを転送するように設定してパケット取得部１１とすることが好ましい。
【００２７】
ネットワーク状態演算部１３は、パケット取得手順で取得したパケットに含まれる情報に基づき、パケットが疎通している経路の疎通ネットワークを推定し、疎通ネットワークとテンプレート記憶手順が記憶するテンプレートとを比較し、ネットワーク１０１の各経路についてパケットの疎通の有無を判断するネットワーク状態演算手順を行う。ネットワーク状態演算部１３は、パケット取得部１１が取得したパケット情報から、ネットワーク１０１のどの経路にパケットの疎通があるかを計算し、疎通ネットワークを推定する。さらに、ネットワーク状態演算部１３は、テンプレート記憶部１２が記憶しているネットワーク構成のテンプレートと推定した疎通ネットワークとを突き合わせ、テンプレートのどの部分に疎通があるかを判断する。
【００２８】
出力部１４は、テンプレート記憶手順で記憶したテンプレートに、ネットワーク状態演算手順で判断したパケットの疎通の有無をネットワーク１０１の経路毎に表示して出力する出力手順を行う。出力部１４は、ネットワーク状態演算部１３の判断結果をもとに、テンプレート記憶部１２が記憶するテンプレートのどの部分にパケットの疎通があるかをディスプレイに表示する。図５は、テストパケット送信後の表示例である。図５では、インターネット１００とルータ２０１の経路に疎通があるが、ルータ２０１とパーソナルコンピュータ２０３には疎通がないことを示している。
【００２９】
このように、ＩＰネットワークの故障箇所の可視化装置３０１は、パケットの疎通がないノードも表示することができ、経路の配線ミス、断線等の故障原因の推定を容易にする。
【００３０】
図６は、テストパケット送信後の他の表示例である。図６では、ルータ２０１から２つのパーソナルコンピュータ２０３の一方に対してパケット疎通があったことを示している。このように、ＩＰネットワークの故障箇所の可視化装置３０１は、ネットワーク状態演算部１３が計算した各経路の疎通状況の結果、テンプレートのネットワーク構成に存在しないノードが存在していれば、このノードをテンプレートのネットワーク構成に追加して出力部１４に表示させることができる。臨時に接続されているノードやネットワーク設定後に接続されたノードを把握することができる。
【００３１】
（第２の実施形態）
第２の実施形態は、第１の実施形態で説明したＩＰネットワークの故障箇所の可視化装置３０１の構成と同様である。第２の実施形態と第１の実施形態との違いは、テンプレート記憶部１２は、ネットワーク構成の経路情報のみならず、その経路に疎通があるべきプロトコルの情報が追加されている点である。
【００３２】
具体的には、本実施形態のＩＰネットワークの故障箇所の可視化装置３０１のテンプレート記憶部１２は、テンプレートにネットワーク１０１の各経路にアプリケーション毎に必要なプロトコル情報を含めて記憶し、ネットワーク状態演算部１３は、パケットの疎通の有無をプロトコル毎に判断し、出力部１４は、パケットの疎通の有無をプロトコル毎に表示する。
【００３３】
テンプレート記憶部１２は、テンプレート記憶手順で、テンプレートにネットワーク１０１の各経路にアプリケーション毎に必要なプロトコル情報を含めて記憶する。ネットワーク状態演算部１３は、ネットワーク状態演算手順で、パケットの疎通の有無をプロトコル毎に判断する。出力部１４は、出力手順で、パケットの疎通の有無をプロトコル毎に表示する。
【００３４】
図７は、初期画面の表示例である。左上のタブでアプリケーションの種別を選択する。アプリケーションによって必要なネットワーク構成（経路）とプロトコルが異なる。ここでは、パーソナルコンピュータを用いたＷｅｂページの閲覧というアプリケーションの例で説明する。
【００３５】
Ｗｅｂページの閲覧で、ネットワーク全体として必要なプロトコルの代表例は左上のタブの直下に示されており、その例としてはＨＴＴＰ、ＤＮＳ、ＩＰ、ＰＰＰｏＥ、ＤＨＣＰ、Ｅｔｈｅｒなどがある。画面下部には、各経路に対応するプロトコルが示されている。インターネット１００とルータ２０１間に閲してはＰＰＰｏＥのプロトコルの疎通が必要であるが、ルータ２０１とパーソナルコンピュータ２０３間ではＰＰＰｏＥのプロトコルの疎通が不要であることが示されている。
【００３６】
図８は、正常性の確認をするためにテストパケット送信後の表示例である。インターネット１００とルータ２０１間は、全てのプロトコルの疎通があるが、ルータ２０１とパーソナルコンピュータ２０３間で一部のプロトコルで疎通がない。Ｅｔｈｅｒレイヤーまでは疎通があるので、その上位のレイヤーに故障原因がありそうだという推定が可能となる。
【００３７】
（記録媒体の実施例）
本実施形態のＩＰネットワークの故障箇所の可視化方法は、ＩＰネットワークの故障箇所の可視化方法のプログラム（ＩＰネットワークの故障箇所の可視化プログラム）をコンピュータが実行することで実現することができる。ＩＰネットワークの故障箇所の可視化プログラムは、例えば、記録媒体に格納されて提供される。記録媒体としては、フレキシブルディスク、ＣＤ−ＲＯＭ、ＤＶＤ等の記録媒体や、半導体メモリ等が例示される。ＩＰネットワークの故障箇所の可視化プログラムは、ＬＡＮ（Ｌｏｃａｌ  Ａｒｅａ  Ｎｅｔｗｏｒｋ）やインターネットを介して提供されてもよい。
【００３８】
図９は、記録媒体９０に記録されたプログラムを実行するためのコンピュータ３００の例を示した図である。コンピュータ３００は、フレキシブルディスク、ＣＤ−ＲＯＭ、ＤＶＤ等の記録媒体９０を読み取る記録媒体読み取り装置１１１と、作業用メモリ（ＲＡＭ）１１２と、記録媒体９０に記録されたプログラムを記憶するメモリ１１３と、ディスプレイ１１４と、入力装置であるマウス１１５及びキーボード１１６と、プログラムの実行を制御するＣＰＵ１１７と、データを記憶するハードディスク１１８と、パケット取得部１１として図示しないルータやスイッチングハブに接続するケーブル１１９と、を備えている。図９では、作業用メモリ１１２、メモリ１１３、ＣＰＵ１１７及びハードディスク１１８は筐体に内蔵されるので破線で示している。
【００３９】
コンピュータ３００は、記録媒体９０が記録媒体読み取り装置１１１に挿入されると、記録媒体読み取り装置１１１から記録媒体９０に格納されたＩＰネットワークの故障箇所の可視化プログラムがメモリ１１３にインストールされる。メモリ１１３へのインストール完了後、ＣＰＵ１１７はＩＰネットワークの故障箇所の可視化プログラムにアクセス可能になり、当該プログラムによって、コンピュータ３００は、本実施形態のＩＰネットワークの故障箇所の可視化装置として動作することが可能になる。
【００４０】
コンピュータ３００が図１のＩＰネットワークの故障箇所の可視化装置として動作する場合、ＣＰＵ１１７がネットワーク状態演算部１３として機能する。ハードディスク１１８がテンプレート記憶部１２として機能する。ディスプレイ１１４が出力部１４として機能する。ＣＰＵ１１７は図示しないパケット取得部１１で取得したパケットを前述のように解析して疎通ネットワークを推定する。さらに、ＣＰＵ１１７は、ハードディスク１１８が記憶しているネットワーク構成のテンプレートと推定した疎通ネットワークとを突き合わせ、テンプレートのどの部分に疎通があるかを判断する。この判断結果は、作業用メモリ１１２に一時的に保管される。コンピュータ３００は、図５、図６、図８で説明したように判断結果をディスプレイ１１４に表示することができる。
【００４１】
ここでのコンピュータ３００は、図９のようなパーソナルコンピュータに限らず、記録媒体読み取り装置１１１、ＣＰＵ１１７を具備しソフトウエアによる処理や制御を行うＤＶＤプレーヤ、ゲーム機、携帯電話などを含む。
【産業上の利用可能性】
【００４２】
本発明に係るＩＰネットワークの故障箇所の可視化装置、ＩＰネットワークの故障箇所の可視化方法及び記録媒体は、家庭内ＬＡＮや企業内ＬＡＮに適用することができる。
【図面の簡単な説明】
【００４３】
【図１】本発明に係るＩＰネットワークの故障箇所の可視化装置の構成を説明するブロック図である。
【図２】本発明に係るＩＰネットワークの故障箇所の可視化装置のテンプレート記憶部が記憶するテンプレートの例を説明する図である。
【図３】本発明に係るＩＰネットワークの故障箇所の可視化装置を監視対象ネットワークに接続した例を説明する図である。
【図４】本発明に係るＩＰネットワークの故障箇所の可視化装置を監視対象ネットワークに接続した例を説明する図である。
【図５】本発明に係るＩＰネットワークの故障箇所の可視化装置の出力部の表示例である。
【図６】本発明に係るＩＰネットワークの故障箇所の可視化装置の出力部の表示例である。
【図７】本発明に係るＩＰネットワークの故障箇所の可視化装置の出力部の表示例である。
【図８】本発明に係るＩＰネットワークの故障箇所の可視化装置の出力部の表示例である。
【図９】記録媒体に記録されたプログラムを実行するためのコンピュータの例を示した図である。
【符号の説明】
【００４４】
１１：パケット取得部
１２：テンプレート記憶部
１３：ネットワーク状態演算部
１４：出力部
９０：記録媒体
１００：インターネット
１０１：ネットワーク
１１１：記録媒体読み取り装置
１１２：作業用メモリ
１１３：メモリ
１１４：ディスプレイ
１１５：マウス
１１６：キーボード
１１７：ＣＰＵ
１１８：ハードディスク
１１９：ケーブル
２０１：ルータ
２０２：スイッチングハブ
２０３：パーソナルコンピュータ
３００：コンピュータ
３０１：ＩＰネットワークの故障箇所の可視化装置
【図１】
2010074688.tif 000003
【図２】
2010074688.tif 000004
【図３】
2010074688.tif 000005
【図４】
2010074688.tif 000006
【図５】
2010074688.tif 000007
【図６】
2010074688.tif 000008
【図７】
2010074688.tif 000009
【図８】
2010074688.tif 000010
【図９】
2010074688.tif 000011